(57)【要約】【課題】機器自体を大型化・重量化・複雑化させずに、外部環境が変化しても、機器内部の温度を適正に保つようにする。【解決手段】発熱部品７と放熱部品５を内蔵し、外部部品Ａを装着可能で、外部部品Ａの装着に応じて動作可能な可動部品８・１１を備える電子機器１であって、外部部品Ａの装着に応じた可動部品８・１１の動作によって放熱部品５の放熱経路を切り換える。具体的には、外部部品は、帯状体や棒状体などに装着するためのアタッチメントＡであり、可動部品は、放熱部品５と接触可能な伝熱部品８と、アタッチメントＡを装着状態にロックするロック部品１１である。そして、伝熱部品８は、アタッチメントＡの着脱に応じて動作するロック部品１１と連動して動作する。さらに、ロック部品１１と連動して動作する操作部品１３を備える。【選択図】図１５
2014110529.tif 000002
【特許請求の範囲】
【請求項１】
発熱部品と放熱部品を内蔵し、外部部品を装着可能で、外部部品の装着に応じて動作可能な可動部品を備える電子機器であって、
前記外部部品の装着に応じた前記可動部品の動作によって前記放熱部品の放熱経路を切り換えることを特徴とする電子機器。
【請求項２】
前記外部部品は、帯状体や棒状体などに装着するためのアタッチメントであることを特徴とする請求項１に記載の電子機器。
【請求項３】
前記可動部品は、前記放熱部品と接触可能な伝熱部品であることを特徴とする請求項１または２に記載の電子機器。
【請求項４】
前記可動部品は、前記外部部品を装着状態にロックするロック部品であることを特徴とする請求項１から３のいずれか一項に記載の電子機器。
【請求項５】
前記伝熱部品は、前記外部部品の着脱に応じて動作する前記ロック部品と連動して動作することを特徴とする請求項４に記載の電子機器。
【請求項６】
前記ロック部品と連動して動作する操作部品を備えることを特徴とする請求項４または５に記載の電子機器。
【請求項７】
前記操作部品は、前記外部部品の装着に応じて外部との放熱口の開口度合いを変化させることを特徴とする請求項６に記載の電子機器。
【請求項８】
前記操作部品は、前記ロック部品による前記外部部品の装着状態のロックを解除することを特徴とする請求項６または７に記載の電子機器。
【請求項９】
電池を内蔵し、
前記放熱部品と前記電池との間に、前記発熱部品と前記可動部品を配置したことを特徴とする請求項１から８のいずれか一項に記載の電子機器。
【請求項１０】
前記ロック部品は、前記外部部品、前記伝熱部材及び前記操作部材にそれぞれ接触する形状で、前記外部部品の装着に応じて動作して前記伝熱部材と前記操作部材を同時に動作させることを特徴とする請求項４から９のいずれか一項に記載の電子機器。
【発明の詳細な説明】
【技術分野】
【０００１】
本発明は、発熱体を内蔵した電子機器に関する。
【背景技術】
【０００２】
特許文献１において、デジタルカメラの放熱構造が提案されている。
特許文献１の放熱構造では、三脚穴と内部放熱板（ヒートシンク）とが繋がっており、三脚穴から内部熱を放出できるようになっている。そして、三脚を取り付けると、その三脚へ熱が逃げるので、さらなる冷却が可能となっている。
【０００３】
ところで、デジタルカメラのような携帯機器は、大概が電池駆動である。
電池というものは、冷え過ぎると能力が落ちてしまう。
デジタルカメラのような携帯機器は、持ち歩かれて、屋外で使用されることが多い。
そして、冬場や寒冷地で使われた場合、特許文献１の構造のように常に放熱していると、機器内部、つまり、電池が冷えてしまい、本来の能力を発揮できなくなる虞がある。
【０００４】
そこで、内蔵される電池の温度を適正に保つ構造が特許文献２に示されている。
特許文献２の構造では、内部の電池に温度センサが取り付けられており、電池の温度が低い時には、アクチュエータやモータによって隔壁やファンを動作させて、内部熱が電池側へ流れるように切替える。逆に、電池温度が高い（又は適正な）時には、隔壁やファンを動作させて、内部熱が電池側へ流れないように切替える。
【先行技術文献】
【特許文献】
【０００５】
【特許文献１】特開２００６−２１１０９１号公報
【特許文献２】特開２０１２−０６３６３２号公報
【発明の概要】
【発明が解決しようとする課題】
【０００６】
ところで、特許文献２のような据え置き機器（プロジェクタ）であれば、特に問題は無いかもしれないが、特許文献１のような携帯機器（デジタルカメラ）の場合、温度センサやモータやファンを内蔵するのは実質的に不可能である。
また、不可能でなかったとしても機器が大きくなってしまい、「携帯」に向かなくなってしまう。その上、動作プログラムも必要になってしまう。
【０００７】
最近は、人間の頭部や自転車のハンドルなどに、アタッチメントを介してデジタルカメラを装着したいというニーズもあり、そのような場合、小ささや軽さが重要となるので、特許文献２の技術思想はとても適用できない。
【０００８】
本発明の課題は、機器自体を大型化・重量化・複雑化させずに、外部環境が変化しても、機器内部の温度を適正に保つようにすることである。
【課題を解決するための手段】
【０００９】
以上の課題を解決するため、本発明は、
発熱部品と放熱部品を内蔵し、外部部品を装着可能で、外部部品の装着に応じて動作可能な可動部品を備える電子機器であって、
前記外部部品の装着に応じた前記可動部品の動作によって前記放熱部品の放熱経路を切り換えることを特徴とする。
【発明の効果】
【００１０】
本発明によれば、機器自体を大型化・重量化・複雑化させずに、外部環境が変化しても、機器内部の温度を適正に保つことができる。
【図面の簡単な説明】
【００１１】
【図１】本発明を適用した電子機器の一実施形態の構成を示すもので、カメラにヘッドバンドを装着した状態の斜視図である。
【図２】図１のカメラ及び外部部品（アタッチメント）の拡大図である。
【図３】図２のカメラとアタッチメントをカメラ背面側から示したもので、カメラとアタッチメントの接続状態の図（ａ）と、カメラとアタッチメントの分離状態の図（ｂ）である。
【図４】図３のアタッチメントとヘッドバンドの関係を示す正面図である。
【図５】図４のアタッチメントのロック片の形状の相違を示したもので、寒冷地用の図（ａ）と、常温用の図（ｂ）である。
【図６】図２のカメラの中央を縦断して示した図である。
【図７】図６のカメラの主要構成部品の分解斜視図である。
【図８】図７の放熱部品、可動部品（伝熱部品）及び電池を反対側から見た図である。
【図９】図６のカメラのアタッチメント装着部の内部構成を示す斜視図である。
【図１０】図９の正断面図である。
【図１１】図１０の下方から見た横断面図である。
【図１２】図９のロック部品の拡大図（ａ）と、その下方から見た図（ｂ）である。
【図１３】図１１と異なる位置の横断面図である。
【図１４】常温用アタッチメント装着時の要部拡大図（ａ）（ｂ）である。
【図１５】常温用アタッチメント装着時の熱の流れを示す要部縦断斜視図である。
【図１６】寒冷地用アタッチメント装着時の要部拡大図（ａ）（ｂ）である。
【図１７】寒冷地用アタッチメント装着時の熱の流れを示す要部縦断面図である。
【図１８】寒冷地用アタッチメント装着時の熱の流れを示す要部横断面図である。
【図１９】実施形態２を示すもので、寒冷地用アタッチメント装着時の要部正断面図である。
【図２０】常温用アタッチメント装着時の要部正断面図である。
【図２１】実施形態２の操作部材の側面図である。
【発明を実施するための形態】
【００１２】
以下、図を参照して本発明を実施するための形態を詳細に説明する。
（実施形態１）
図１は本発明を適用した電子機器の一実施形態の構成としてカメラ１にヘッドバンドＨを装着した状態を示すもので、図２はカメラ１及びその外部部品であるアタッチメントＡを拡大したもの、図３はカメラ１とアタッチメントＡをカメラ背面側から示したもの、図４はアタッチメントＡとヘッドバンドＨの関係を示したものである。
【００１３】
図示のように、カメラ１はヘッドバンドＨにアタッチメントＡで着脱可能となっている。
また、ヘッドバンドＨとアタッチメントＡは多種多様あり、図示例のように、ヘッドバンドＨとアタッチメントＡが分離可能なものや、一体のものもあり、ヘッドバンドＨは用途に応じて材質が変わる。
【００１４】
すなわち、ユーザーの使用環境としては高温多湿から寒冷地まで想定している。
特に、常温（夏山）と寒冷地（冬山）ではヘッドバンドＨの材質、アッタチメントＡの形状も変える。
例えば、夏は直接地肌に装着することも考慮されるため、ヘッドバンドＨの材質は布製の汗を吸いやすいものを使用し、冬山では帽子やヘルメットの上からの装着が前提となるため、ヘッドバンドＨの材質はシリコーンゴムやウレタンゴム等、すべりにくい材質を使用する。
【００１５】
そして、カメラ１の背面（後ケース３）下部の開口を塞ぐように設けた蓋部３ａに差込口１ａが形成されており、アタッチメントＡにヒンジ結合して備えられるロック片Ａ０をカメラ１の差込口１ａに挿入することによりロックされる。なお、アタッチメントＡの材質としては樹脂や金属が挙げられる。
【００１６】
図５はアタッチメントＡのロック片Ａ０の形状の相違を示したものである。ロック片Ａ０の左右両側には、寒冷地用の場合、図５（ａ）に示すように、溝の深さが浅い寒冷地用溝Ａ１が形成されていて、常温用の場合、図５（ｂ）に示すように、溝の深さが深い常温用溝Ａ２が形成されている。
【００１７】
図６から図８はカメラ１の主要部品を示すもので、２は前ケース、３は後ケース、４はパッキン、５は放熱部品（ヒートシンク）、６は回路基板、７は発熱部品（ＣＰＵ）、８は可動部品兼伝熱部品（ヒートシンクプレート）、９は電池ホルダー、１０はレンズ部、Ｂは電池である。
【００１８】
カメラ１は、図示のように、筐体を構成する前ケース２と後ケース３がパッキン４を介装して合体される。前ケース２内には、図示左側から、レンズ部１０、そのレンズ部１０の周囲を囲むリング状の放熱部品であるヒートシンク５、回路基板６、ヒートシンクプレート８、電池ホルダー９が順に収容されて、後ケース３で閉じられている。
【００１９】
そして、前面にレンズ部１０等を搭載した回路基板６の後面に発熱部品であるＣＰＵ７が搭載されている。さらに、アタッチメントＡの装着に応じて動作可能な可動部品であって、ヒートシンク５と面接触可能な伝熱部品を兼ねるヒートシンクプレート８に一体に形成した上下一対の板バネ部８ａがＣＰＵ７に面接触状態となっている。この板バネ部８ａによってヒートシンクプレート８がヒートシンク５から離れる方向に押圧付勢されている。また、電池ホルダー９に電池Ｂが保持されている。
【００２０】
なお、前ケース２の材質としては樹脂、後ケース３の材質としては樹脂や金属、パッキン４の材質としてはシリコーンゴム、ヒートシンク５の材質としてはアルミ、銅、マグネシウム等の金属、ヒートシンクプレート８の材質としてはアルミ、銅、マグネシウム、ＳＵＳ等の金属、電池ホルダー９の材質としてはアルミ、銅、マグネシウム等の金属が挙げられる。
【００２１】
次に、図９から図１１はカメラ１の差込口１ａ内のアタッチメント装着部の構成を示すもので、１１は可動部品（ロック部品）、１２はスプリング、１３は操作部品（レリーズボタン）、１４はスプリングである。
【００２２】
カメラ１の差込口１ａ内には、図示のように、アタッチメントＡの着脱に応じて動作可能な可動部品であるロック部品１１が左右一対配置されている。この左右一対のロック部品１１は、各々の外側部からスプリング１２で互いに相寄る方向に押圧付勢されている。そして、左右一対のロック部品１１の下方には、ロック解除用の操作部品であるレリーズボタン１３が配置されている。このレリーズボタン１３は、上方からスプリング１４で下方へ押し出す方向に押圧付勢されている。
【００２３】
カメラ１の差込口１ａ内において、アタッチメントＡのロック片Ａ０が挿入されると、ロック片Ａ０の左右両側の寒冷地用溝Ａ１または常温用溝Ａ２に、ロック部品１１の内端部がスプリング１２の押圧付勢によりそれぞれ噛み合って、ロック片Ａ０が両側面からロックされる。
【００２４】
アタッチメントＡを外す際には、レリーズボタン１３をスプリング１４の押圧付勢に抗して押すことにより、ロック部品１１がスプリング１２の押圧付勢に抗して外側へ移動し、ロック片Ａ０の左右両側の寒冷地用溝Ａ１または常温用溝Ａ２からロック部品１１の内端部がそれぞれ抜けて、ロック片Ａ０のロックが解除される。
【００２５】
図１２（ａ）及び（ｂ）はロック部品１１を拡大したものである。ロック部品１１には、図示のように、先端部後面にロック片Ａ０の挿入を円滑にガイドする傾斜面１１ａが形成されて、下面にレリーズボタン１３の一部と接触する傾斜面１１ｂが形成され、さらに、前面にヒートシンクプレート８の一部と接触する傾斜面１１ｃが形成されている。
【００２６】
ロック部品１１の下面の傾斜面１１ｂには、レリーズボタン１３の内方に突出する左右一対の突出部１３ａに形成した傾斜面１３ｂが接触する。すなわち、レリーズボタン１３を押すと、その傾斜面１３ｂが傾斜面１１ｂを押してロック部品１１が外側へ移動し、ロック片Ａ０のロックが解除される。
【００２７】
図１３は図１１と異なる位置の横断面を示したもので、図示のように、ロック部品１１の前面の傾斜面１１ｃには、ヒートシンクプレート８の後面に突出する左右一対の突出部８ｂに形成した傾斜面８ｃが接触可能となっている。すなわち、ロック部品１１の傾斜面１１ｃとヒートシンクプレート８の傾斜面８ｃが接触状態のときは、ヒートシンクプレート８が板バネ部８ａの押圧付勢によってヒートシンク５から離れる方向に移動する。
【００２８】
また、傾斜面１１ｃ・８ｃが非接触状態で、ロック部品１１の前面にヒートシンクプレート８の突出部８ｂが接触状態のときは、ヒートシンクプレート８がヒートシンク５に面接触状態となる。なお、突出部８ｂは後ケース３を貫通してその周囲にシールリング１５が設けられている。
【００２９】
以上において、通常、ヒートシンクプレート８は、その上下一対の板バネ部８ａによりＣＰＵ７を押し、電池Ｂ側へ移動するテンションが生じているが、ロック部品１１により移動が制限されている。
寒冷地用のアタッチメントＡを挿入すると、その溝の深さが浅い寒冷地用溝Ａ１に噛み合うロック部品１１が外側へ移動するため、ヒートシンクプレート８が電池Ｂ側へ移動する。
【００３０】
図１４及び図１５は常温用アタッチメント装着時を示したものである。図１４（ａ）に示すように、アタッチメントＡのロック片Ａ０の左右両側の溝の深さが深い常温用溝Ａ２にロック部品１１の内端部がスプリング１２の押圧付勢によりそれぞれ噛み合って、ロック片Ａ０が両側面からロックされる。このロック動作と同時に、図１４（ｂ）に示すように、ロック部品１１の前面にヒートシンクプレート８の突出部８ｂが接触状態となって、矢印で示したように、ヒートシンクプレート８がヒートシンク５に面接触状態となる。
【００３１】
すなわち、通常の状態では、ヒートシンクプレート８がヒートシンク５に常時接触している。
従って、図１５に矢印で示したように、通常時、ＣＰＵ７が発する熱の流れは、ヒートシンクプレート８、ヒートシンク５を経由して前ケース２から外気に放熱される。
【００３２】
図１６から図１８は寒冷地用アタッチメント装着時を示したものである。図１６（ａ）に示すように、アタッチメントＡのロック片Ａ０の左右両側の溝の深さが浅い寒冷地用溝Ａ１にロック部品１１の内端部がスプリング１２の押圧付勢によりそれぞれ噛み合って、ロック片Ａ０が両側面からロックされる。このロック動作と同時に、図１６（ｂ）に示すように、ロック部品１１の傾斜面１１ｃにヒートシンクプレート８の傾斜面８ｃが接触状態となって、矢印で示したように、ヒートシンクプレート８がヒートシンク５から離れて電池Ｂ側へ移動する。
【００３３】
すなわち、寒冷地用のアタッチメントＡを挿入すると、ヒートシンクプレート８がヒートシンク５から離れて電池ホルダー９と接触する。
従って、図１７及び図１８に矢印で示したように、ＣＰＵ７の熱の流れは、ヒートシンクプレート８、電池ホルダー９を経由して電池Ｂに熱が伝わり、電池Ｂを暖める熱経路になる。
【００３４】
このように、常温用と寒冷地用とでアタッチメントＡ付きのヘッドバンドＨを取り替えることにより、通常はＣＰＵ７の熱を外気へ逃がし、寒冷地で使用の際には電池の性能を低下させないため、ＣＰＵ７の熱で電池Ｂが温まるように放熱経路を変更する。
【００３５】
以上のとおり、使用環境別のアタッチメントＡ付きのヘッドバンドＨを取り替えることにより、ＣＰＵ７からの熱の流れを変え、各環境に適した放熱方式にすることができる。
すなわち、ユーザーにとって、用途だけ考えてヘッドバンドＨを選べばよく、アタッチメントＡのロック片Ａ０の左右両側の溝の深さや放熱方式自体について考慮せずにすむので、分かりやすい。
【００３６】
以上、実施形態のカメラ１によれば、ＣＰＵ７の放熱を行うヒートシンク５の放熱経路を、ヘッドバンドＨのアタッチメントＡの装着に応じたロック部品１１及びヒートシンクプレート８の動作によって切り換えることで、筐体自体を大型化・重量化・複雑化させずに、外部環境が変化しても、筐体内部の温度を適正に保つことができる。
【００３７】
（実施形態２）
図１９から図２１は実施形態２を示すものである。この実施形態２は、前述した実施形態１において、レリーズボタン１３の左右の突出部１３ａに内側と外側を連通する通孔１３ｃを形成したものである。なお、この場合、スプリング１４はレリーズボタン１３を引張方向に弱い力で弾圧付勢する。
【００３８】
寒冷地用アタッチメント装着時は、図１９に示すように、ロック部品１１の傾斜面１１ｂのほぼ半分に、スプリング１４の引張付勢に抗してレリーズボタン１３の傾斜面１３ｂのほぼ半分が接触した状態で、レリーズボタン１３が後ケース３下面から僅かに突出した状態となっているが、後ケース３下面の開口はレリーズボタン１３で閉じられている。
【００３９】
このとき、実施形態１のように、ヒートシンクプレート８がヒートシンク５から離れて電池ホルダー９と接触し、ＣＰＵ７の熱の流れは、ヒートシンクプレート８、電池ホルダー９を経由して電池Ｂに熱が伝わり、電池Ｂを暖める熱経路になっており、レリーズボタン１３の周囲からの放熱は行われない。
【００４０】
常温用アタッチメント装着時は、図２０に示すように、ロック部品１１の傾斜面１１ｂの端部に、スプリング１４の引張付勢に抗してレリーズボタン１３の傾斜面１３ｂの端部が僅かに接触した状態で、レリーズボタン１３が後ケース３下面から押し出されるように突出した状態となって、後ケース３下面の開口はレリーズボタン１３の周囲から外気に開放されている。
【００４１】
このとき、ヒートシンクプレート８がヒートシンク５に常時接触して、ＣＰＵ７が発する熱の流れは、ヒートシンクプレート８、ヒートシンク５を経由して前ケース２から外気に放熱されるとともに、ヒートシンクプレート８の突出部８ｂ等を介してカメラ背面側の筐体内に溜まった熱は、後ケース３下面の開口のレリーズボタン１３の周囲から外気に放熱される。また、レリーズボタン１３の左右の突出部１３ａ間の熱は、通孔１３ｃから外側へ導かれて、同様に、レリーズボタン１３の周囲から外気に放熱される。
【００４２】
以上、実施形態２のカメラ１によれば、実施形態１により得られる作用効果に加えて、通常はレリーズボタン１３の周囲から外気に放熱しながら、寒冷時は放熱を止めることができる。
【００４３】
（変形例）
以上の実施形態においては、カメラとしたが、本発明はこれに限定されるものではなく、内部にＣＰＵ等の発熱部品や電池を備える携帯電話など他の電子機器であってもよい。
また、実施形態では、外部部品のアタッチメントとして頭部に装着するためのヘッドバンドとしたが、そのような帯状体に限らず、例えば自転車のハンドルに装着するための棒状体などのアタッチメントであってもよい。
さらに、発熱部品、放熱部品、外部部品、可動部品の種類や形状等も任意であり、その他、具体的な細部構造等についても適宜に変更可能であることは勿論である。
【００４４】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
発熱部品と放熱部品を内蔵し、外部部品を装着可能で、外部部品の装着に応じて動作可能な可動部品を備える電子機器であって、
前記外部部品の装着に応じた前記可動部品の動作によって前記放熱部品の放熱経路を切り換えることを特徴とする電子機器。
＜請求項２＞
前記外部部品は、帯状体や棒状体などに装着するためのアタッチメントであることを特徴とする請求項１に記載の電子機器。
＜請求項３＞
前記可動部品は、前記放熱部品と接触可能な伝熱部品であることを特徴とする請求項１または２に記載の電子機器。
＜請求項４＞
前記可動部品は、前記外部部品を装着状態にロックするロック部品であることを特徴とする請求項１から３のいずれか一項に記載の電子機器。
＜請求項５＞
前記伝熱部品は、前記外部部品の着脱に応じて動作する前記ロック部品と連動して動作することを特徴とする請求項４に記載の電子機器。
＜請求項６＞
前記ロック部品と連動して動作する操作部品を備えることを特徴とする請求項４または５に記載の電子機器。
＜請求項７＞
前記操作部品は、前記外部部品の装着に応じて外部との放熱口の開口度合いを変化させることを特徴とする請求項６に記載の電子機器。
＜請求項８＞
前記操作部品は、前記ロック部品による前記外部部品の装着状態のロックを解除することを特徴とする請求項６または７に記載の電子機器。
＜請求項９＞
電池を内蔵し、
前記放熱部品と前記電池との間に、前記発熱部品と前記可動部品を配置したことを特徴とする請求項１から８のいずれか一項に記載の電子機器。
＜請求項１０＞
前記ロック部品は、前記外部部品、前記伝熱部材及び前記操作部材にそれぞれ接触する形状で、前記外部部品の装着に応じて動作して前記伝熱部材と前記操作部材を同時に動作させることを特徴とする請求項４から９のいずれか一項に記載の電子機器。
【符号の説明】
【００４５】
１  電子機器（カメラ）
１ａ  差込口
２  前ケース
３  後ケース
３ａ  蓋部
４  パッキン
５  放熱部品（ヒートシンク）
６  回路基板
７  発熱部品（ＣＰＵ）
８  可動部品兼伝熱部品（ヒートシンクプレート）
８ａ  板バネ部
８ｂ  突出部
８ｃ  傾斜面
９  電池ホルダー
１０  レンズ部
１１  可動部品（ロック部品）
１１ａ  傾斜面
１１ｂ  傾斜面
１１ｃ  傾斜面
１２  スプリング
１３  操作部品（レリーズボタン）
１３ａ  突出部
１３ｂ  傾斜面
１３ｃ  通孔
１４  スプリング
１５  シールリング
Ａ  外部部品（アタッチメント）
Ａ０  ロック片
Ａ１  寒冷地用溝
Ａ２  常温用溝
Ｂ  電池
Ｈ  ヘッドバンド
【図１】
2014110529.tif 000003
【図２】
2014110529.tif 000004
【図３】
2014110529.tif 000005
【図４】
2014110529.tif 000006
【図５】
2014110529.tif 000007
【図６】
2014110529.tif 000008
【図７】
2014110529.tif 000009
【図８】
2014110529.tif 000010
【図９】
2014110529.tif 000011
【図１０】
2014110529.tif 000012
【図１１】
2014110529.tif 000013
【図１２】
2014110529.tif 000014
【図１３】
2014110529.tif 000015
【図１４】
2014110529.tif 000016
【図１５】
2014110529.tif 000017
【図１６】
2014110529.tif 000018
【図１７】
2014110529.tif 000019
【図１８】
2014110529.tif 000020
【図１９】
2014110529.tif 000021
【図２０】
2014110529.tif 000022
【図２１】
2014110529.tif 000023